(57)【要約】    【課題】  簡単な構造で、シャッタカーテンの不意の落下を防止できるシャッタカーテン落下防止装置を具備したシャッタ装置を提供する。    【解決手段】  少なくとも下端部がパネル９で構成されたシャッタカーテンを具備し、該シャッタカーテンの下端に線状部材１２が係着されて吊下げられるシャッタ装置に於いて、最下段のパネルに下方に突出可能に突張り部材３６が設けられ、該突張り部材に前記線状部材が連結され、該線状部材により前記シャッタカーテンが吊下げられた状態で前記線状部材に作用する張力で前記突張り部材が格納され、前記線状部材の張力が所定値以下となった場合に前記突張り部材が突出し、該突張り部材の突出状態が維持される様構成した。    【選択図】          図６
2006312826.tif 000002
【特許請求の範囲】
【請求項１】
少なくとも下端部がパネルで構成されたシャッタカーテンを具備し、該シャッタカーテンの下端に線状部材が係着されて吊下げられるシャッタ装置に於いて、最下段のパネルに下方に突出可能に突張り部材が設けられ、該突張り部材に前記線状部材が連結され、該線状部材により前記シャッタカーテンが吊下げられた状態で前記線状部材に作用する張力で前記突張り部材が格納され、前記線状部材の張力が所定値以下となった場合に前記突張り部材が突出し、該突張り部材の突出状態が維持される様構成したことを特徴とするシャッタ装置。
【請求項２】
前記突張り部材は回転自在に支持され、該突張り部材はスプリングにより突出方向の回転が付勢された請求項１のシャッタ装置。
【請求項３】
前記突張り部材は垂直方向に摺動自在に支持され、該突張り部材はスプリングにより下方へ付勢された請求項１のシャッタ装置。
【請求項４】
前記線状部材は前記突張り部材に直接連結された請求項１〜請求項３のいずれかのシャッタ装置。
【請求項５】
係合金具が最下段のパネルの幅端部に嵌脱可能に設けられ、前記線状部材は前記係合金具に係着され、該係合金具が前記パネルに嵌合され、前記線状部材に張力が作用した状態で前記突張り部材の突出を抑止し、前記線状部材の張力が所定値以下となった場合に前記突張り部材に作用する付勢力で前記係合金具が外れる様に構成された請求項１〜請求項３のいずれかのシャッタ装置。
【発明の詳細な説明】
【技術分野】
【０００１】
本発明は、少なくとも下端部がパネルで構成されたシャッタカーテンを具備し、該シャッタカーテンによりコンテナ、建屋等の構築・構造物の開口部等を開閉するシャッタ装置に関するものである。
【背景技術】
【０００２】
建屋等の構築・構造物の出入口、窓等の開口部を開閉するものとしてシャッタ装置があり、又シャッタ装置の１つとしてパネルシャッタがあり、該パネルシャッタは複数のパネルを屈曲可能に連結したシャッタカーテンを具備し、該シャッタカーテンをガイドレールに沿って昇降させる構成となっている。
【０００３】
パネルシャッタとしては、例えば特許文献１に示されるものがある。図９によって、パネルシャッタの１つであるオーバヘッドドアの概略を説明する。
【０００４】
建屋等の開口部１の両側柱２の屋内側に垂直ガイドレール３が設けられ、又天井に沿って格納ガイドレール４が設けられ、前記垂直ガイドレール３と前記格納ガイドレール４とは湾曲レール５によって連結されている。前記垂直ガイドレール３の上方には水平な巻取シャフト６を具備する開閉装置７が設けられている。
【０００５】
前記垂直ガイドレール３、前記湾曲レール５、前記格納ガイドレール４に沿ってシャッタカーテン８がスライド可能となっており、該シャッタカーテン８は所要数のパネル９が屈曲自在に連結されて構成されている。
【０００６】
前記巻取シャフト６はブラケット１４により回転自在に支持され、前記巻取シャフト６の両端部にはドラム１１が設けられ、該ドラム１１に巻付けられたワイヤ１２が前記シャッタカーテン８の下端部に係着されている。又、前記巻取シャフト６にはバランススプリング１３が設けられ、該バランススプリング１３は前記ワイヤ１２を介して前記シャッタカーテン８を上昇方向に付勢している。
【０００７】
前記開口部１が開かれる場合は、前記シャッタカーテン８を引上げることで、前記バランススプリング１３により前記巻取シャフト６を介し前記ドラム１１が回転されることで前記ワイヤ１２が巻取られ、前記シャッタカーテン８が前記垂直ガイドレール３に沿って引上げられ、更に前記格納ガイドレール４に格納される様になっている。
【０００８】
又、前記開口部１が閉じられる場合は、前記シャッタカーテン８を引下ろすことで、該シャッタカーテン８が降下され、前記ドラム１１が逆方向に回転され、前記ワイヤ１２が繰出される。尚、前記シャッタカーテン８の重量は前記バランススプリング１３によりバランスされている。
【０００９】
上記した様に、前記シャッタカーテン８は前記ワイヤ１２により吊下げられ、又前記シャッタカーテン８の重量は前記ワイヤ１２を介して前記バランススプリング１３によりバランスされている構造となっているので、前記ワイヤ１２、前記バランススプリング１３が摩耗、疲労等により経時的に劣化し、不意に切断、破断した場合は前記シャッタカーテン８が自重で落下する虞れがある。
【００１０】
該シャッタカーテン８の落下防止装置としては、特許文献２に示すものがある。
【００１１】
図１０に於いて、従来のシャッタカーテン落下防止装置について略述する。
【００１２】
シャッタカーテン８の端部にストッパ１５が回転自在に設けられ、該ストッパ１５はバネ１６により突出方向に付勢されている。前記ストッパ１５にはワイヤ１２が係着され、該ワイヤ１２に張力が発生することで、前記ストッパ１５が格納される様になっている。
【００１３】
前記シャッタカーテン８の端部に対向し、垂直ガイドレール３に沿って係止部１７が設けられ、該係止部１７には所定間隔で係止バー１８が設けられ、前記ストッパ１５は突出状態で前記係止バー１８に係合する様になっている。
【００１４】
不意に前記ワイヤ１２が切断、或はバランススプリング１３（図９参照）が破断した場合、前記シャッタカーテン８を支持する手段がなくなり、該シャッタカーテン８は落下する状態となるが、同時に前記ワイヤ１２に作用する張力がなくなるので、前記ストッパ１５が突出する。該ストッパ１５が突出することで該ストッパ１５が前記係止バー１８に係合し、前記シャッタカーテン８の下方への動きが拘束され、該シャッタカーテン８の落下が防止される。
【００１５】
従来のシャッタカーテン落下防止装置では、機構が複雑で、部品点数が多く、製作コストが掛るという不具合があった。
【００１６】
【特許文献１】実開平７−２６５８７号公報
【００１７】
【特許文献２】特開２００３−５６２６５号公報
【発明の開示】
【発明が解決しようとする課題】
【００１８】
本発明は斯かる実情に鑑み、簡単な構造で、シャッタカーテンの不意の落下を防止できるシャッタカーテン落下防止装置を具備したシャッタ装置を提供するものである。
【課題を解決するための手段】
【００１９】
本発明は、少なくとも下端部がパネルで構成されたシャッタカーテンを具備し、該シャッタカーテンの下端に線状部材が係着されて吊下げられるシャッタ装置に於いて、最下段のパネルに下方に突出可能に突張り部材が設けられ、該突張り部材に前記線状部材が連結され、該線状部材により前記シャッタカーテンが吊下げられた状態で前記線状部材に作用する張力で前記突張り部材が格納され、前記線状部材の張力が所定値以下となった場合に前記突張り部材が突出し、該突張り部材の突出状態が維持される様構成したシャッタ装置に係り、又前記突張り部材は回転自在に支持され、該突張り部材はスプリングにより突出方向の回転が付勢されたシャッタ装置に係り、又前記突張り部材は垂直方向に摺動自在に支持され、該突張り部材はスプリングにより下方へ付勢されたシャッタ装置に係り、又前記線状部材は前記突張り部材に直接連結されたシャッタ装置に係り、更に又係合金具が最下段のパネルの幅端部に嵌脱可能に設けられ、前記線状部材は前記係合金具に係着され、該係合金具が前記パネルに嵌合され、前記線状部材に張力が作用した状態で前記突張り部材の突出を抑止し、前記線状部材の張力が所定値以下となった場合に前記突張り部材に作用する付勢力で前記係合金具が外れる様に構成されたシャッタ装置に係るものである。
【発明の効果】
【００２０】
本発明によれば、少なくとも下端部がパネルで構成されたシャッタカーテンを具備し、該シャッタカーテンの下端に線状部材が係着されて吊下げられるシャッタ装置に於いて、最下段のパネルに下方に突出可能に突張り部材が設けられ、該突張り部材に前記線状部材が連結され、該線状部材により前記シャッタカーテンが吊下げられた状態で前記線状部材に作用する張力で前記突張り部材が格納され、前記線状部材の張力が所定値以下となった場合に前記突張り部材が突出し、該突張り部材の突出状態が維持される様構成したので、不意に前記シャッタカーテンが自重で降下した場合、前記突張り部材により降下が抑制されて該シャッタカーテンの下端と床面との間には隙間が形成され、前記シャッタカーテンの降下による挟込みが防止され、又構造が簡単であり、シャッタ装置に安価に装備可能である。
【００２１】
又、本発明によれば、係合金具が最下段のパネルの幅端部に嵌脱可能に設けられ、前記線状部材は前記係合金具に係着され、該係合金具が前記パネルに嵌合され、前記線状部材に張力が作用した状態で前記突張り部材の突出を抑止し、前記線状部材の張力が所定値以下となった場合に前記突張り部材に作用する付勢力で前記係合金具が外れる様に構成されたので、前記突張り部材を格納する場合には該突張り部材を前記パネルに収納させた状態で前記係合金具を前記パネルに嵌合するだけの作業でよく、簡単に現状に復帰できる等の優れた効果を発揮する。
【発明を実施するための最良の形態】
【００２２】
以下、図面を参照しつつ本発明を実施する為の最良の形態を説明する。
【００２３】
図１は本発明が実施されるシャッタ装置の一例である、オーバヘッドドアの概略を示している。
【００２４】
図１は手動開閉式のオーバヘッドドアを示し、図９で示したものと基本的な構造は同一であり、同等のものには同符号を付しその説明を省略する。
【００２５】
開口部が設けられた壁面２１にはチェーン開閉機構２２が取付けられ、該チェーン開閉機構２２と巻取シャフト６の一端に嵌着されたスプロケット２３とがチェーン２４によって連結されている。前記チェーン開閉機構２２からチェーン２５が垂下され、該チェーン２５を所要の方向に周回させることで前記チェーン２４、前記スプロケット２３を介して前記巻取シャフト６を回転させ、線状部材であるワイヤ１２を介してシャッタカーテン８を開閉する様になっている。
【００２６】
尚、前記巻取シャフト６をモータ等により駆動することで、電動式のオーバヘッドドアとすることも可能である。
【００２７】
前記シャッタカーテン８の両下端部に落下防止装置２６が設けられる。以下は、一方の落下防止装置２６について説明する。
【００２８】
図２〜図６に於いて、第１の実施の形態について説明する。
【００２９】
ワイヤ１２の下端に係合金具２７を係着する。該係合金具２７は、図６に見られる様に、Ｌ字状の外片２８に中立片２９、内立片３０が形成され、外溝３１、内溝３２が形成されている。前記外溝３１を横断する様に、ワイヤ係着ピン３３が前記外片２８と前記中立片２９間に設けられ、前記ワイヤ係着ピン３３に前記ワイヤ１２が係着されている。
【００３０】
最下段のパネル９の左下端部にはコの字状に形成されたコーナ金具３４が設けられ、前記係合金具２７の内溝３２が前記コーナ金具３４の底片部３４ａに嵌脱可能となっている。
【００３１】
最下段のパネル９の下框３５には突張り部材である突張り棒３６が支持軸３７を介して回転自在に設けられ、前記突張り棒３６はコイルバネ３８により下方（図５中反時計方向）に付勢され、前記突張り棒３６の先端は、前記コーナ金具３４に嵌合された前記係合金具２７の外片２８に当接する。前記突張り棒３６は前記係合金具２７により突出が抑止され、前記突張り棒３６は前記パネル９に格納される。
【００３２】
前記下框３５の両端部下面は切除されており、前記係合金具２７が外れた状態では前記突張り棒３６が略垂直状態迄下方に回転する様になっている（図６参照）。前記下框３５にはストッパ３９が設けられ、該ストッパ３９は前記突張り棒３６を略垂直状態で回転を停止する様になっている。尚、前記ストッパ３９で前記突張り棒３６を停止した状態は、該突張り棒３６が垂直より前記シャッタカーテン８の中心側にやや傾斜する様にしてもよい。
【００３３】
前記下框３５の下面には水切りシール固定枠４１を介して水切りシール４２が設けられ、該水切りシール４２の両端部は、下面が前記突張り棒３６の回転を邪魔しない様に切欠かれている。尚、前記コーナ金具３４を省略し、前記係合金具２７は前記パネル９の横框４０に直接係合する様にしてもよい。
【００３４】
尚、図中、４３は垂直ガイドレール３に転動自在に嵌合するローラを示している。
【００３５】
以下、作用について説明する。
【００３６】
前記ワイヤ１２の下端に係着された前記係合金具２７を前記パネル９の両下端部に係着する。前記係合金具２７と前記パネル９との係着は、前記内溝３２を前記コーナ金具３４に挿入することで行われる。前記ワイヤ１２を介して前記パネル９即ち前記シャッタカーテン８が吊下げられる。前記係合金具２７には前記シャッタカーテン８の自重が作用するので、前記係合金具２７と前記コーナ金具３４との係合は堅固に維持される。又、前記コイルバネ３８から前記突張り棒３６を介して前記係合金具２７に抜脱方向の力が作用するが、前記コイルバネ３８による付勢力は、前記シャッタカーテン８が前記係合金具２７に作用する力（前記ワイヤ１２の作用する最小張力）より小さく設定されている。
【００３７】
従って、前記係合金具２７は前記突張り棒３６の突出を抑止し、該突張り棒３６の格納状態を維持する。
【００３８】
前記シャッタカーテン８が開閉され、該シャッタカーテン８が前記ワイヤ１２に吊下げられている状態で、不意に該ワイヤ１２が切断、或は前記バランススプリング１３が破断した場合、前記ワイヤ１２の張力がなくなるか、或は著しく減少する。
【００３９】
前記ワイヤ１２の張力がなくなる、或は所定値以下（前記コイルバネ３８による付勢力以下）となることで、前記コイルバネ３８の付勢力で、前記突張り棒３６が下方に回転し、該突張り棒３６の回転により前記係合金具２７が前記コーナ金具３４から外れる。前記係合金具２７と前記突張り棒３６との係合が解除されることで、該突張り棒３６は垂直又は略垂直状態迄回転し、停止される。
【００４０】
前記シャッタカーテン８が降下し、前記突張り棒３６の下端が床面に当接することで、前記シャッタカーテン８は停止する。従って、該シャッタカーテン８の下端と床面との間には前記突張り棒３６の下方への突出量だけ隙間が生じる。該突張り棒３６によって形成される隙間に万一、人が挟まった場合でも極力支障を来さない寸法以上、例えば２００ｍｍ以上とすれば、前記シャッタカーテン８と床面との間に人が挟まった場合の不測の事態を回避できる。
【００４１】
図７は第２の実施の形態を示し、該第２の実施の形態では前記係合金具２７を省略している。
【００４２】
突張り棒３６のパネル９の端側の端部を支持軸３７を介してコーナ金具３４に枢着し、コイルバネ３８は前記突張り棒３６を下方、図７中時計方向に付勢する。下框３５にクランク状に形成した上限ストッパ４４を設け、該上限ストッパ４４を前記突張り棒３６の先端部上側に当接させる。従って、前記上限ストッパ４４は前記突張り棒３６の上方への回転を拘束する。
【００４３】
前記コーナ金具３４の上端にはガイドピン４５が設けられ、ワイヤ１２は前記ガイドピン４５で屈曲され、前記突張り棒３６に固着された係着ピン４６に係着されている。
【００４４】
シャッタカーテン８が前記ワイヤ１２により吊下げられている状態では、該ワイヤ１２に作用する張力により前記突張り棒３６は前記コイルバネ３８に抗した反時計方向の回転力が作用し、前記突張り棒３６の先端は前記上限ストッパ４４に当接している。
【００４５】
前記シャッタカーテン８が前記ワイヤ１２に吊下げられている状態で、前記ワイヤ１２が切断、或は前記バランススプリング１３が破断し、前記ワイヤ１２の張力がなくなるか、或は著しく減少すると、前記コイルバネ３８の付勢力により、前記突張り棒３６が時計方向に回転し、該突張り棒３６が前記下框３５より下方に垂直又は略垂直状態で突出する。前記コーナ金具３４は前記突張り棒３６の垂直状態でのストッパとして機能する。尚、該突張り棒３６は横框に直接取付けてもよい。而して、前記シャッタカーテン８が降下した場合も、前記突張り棒３６の突出量だけ前記シャッタカーテン８の下端と床面とに隙間が形成される。
【００４６】
図８は第３の実施の形態を示している。
【００４７】
係合金具２７を横框４０の下端に直接嵌脱可能とし、該横框４０にガイドシリンダ４８を垂直姿勢で取付け、該ガイドシリンダ４８に突張り棒３６を摺動自在に嵌合する。前記ガイドシリンダ４８内には前記突張り棒３６を突出方向に付勢する圧縮バネ４９が設けられている。前記突張り棒３６の上端部側面にはノッチ５１が形成され、前記ガイドシリンダ４８の下端部側面にはストッパ５２が取付けられている。該ストッパ５２は例えば弾性材料から成り、下端部５２ａが水平方向に屈曲され、前記ガイドシリンダ４８の側面を貫通して前記突張り棒３６の側面に弾性力で当接している。
【００４８】
シャッタカーテン８がワイヤ１２に吊下げられている状態で、不意に該ワイヤ１２が切断、或は前記バランススプリング１３が破断し、前記ワイヤ１２の張力がなくなるか、或は著しく減少すると、前記圧縮バネ４９の付勢力により、前記係合金具２７を前記横框４０から外し、更に前記突張り棒３６が下框３５の下面より突出する。
【００４９】
前記ノッチ５１が前記下端部５２ａに達すると、該下端部５２ａが前記ノッチ５１に噛込み、前記突張り棒３６の突出を拘束すると共に該突張り棒３６に圧縮方向の力が作用した場合の間ストッパとなる。
【００５０】
而して、前記シャッタカーテン８が降下した場合、前記突張り棒３６の突出量だけ前記シャッタカーテン８の下端と床面とに間に隙間が形成される。
【００５１】
尚、第１の実施の形態、第３の実施の形態共に突張り棒３６に対して上限ストッパを設けて、ワイヤ１２を前記突張り棒３６に直接係着する様にしてもよい。又、線状部材であるワイヤとして説明したが、ベルトやチェーンなど、他の線状部材でもよい。
【００５２】
又、本発明は、シャッタカーテンの一部がパネルであっても適用可能であり、手動式、電動式のいずれに限定されるものでもない。
【図面の簡単な説明】
【００５３】
【図１】本発明の実施の形態を示す全体概略図である。
【図２】図１のＡ矢視図である。
【図３】図１のＢ矢視図である。
【図４】第１の実施の形態の要部を示す斜視図である。
【図５】第１の実施の形態の要部を示す正面図である。
【図６】第１の実施の形態の作用を示す斜視図である。
【図７】第２の実施の形態の要部を示す正面概略図である。
【図８】第３の実施の形態の要部を示す正面概略図である。
【図９】従来のシャッタ装置を示す斜視図である。
【図１０】従来のシャッタ装置に於ける落下防止装置の斜視図である。
【符号の説明】
【００５４】
６              巻取シャフト
８              シャッタカーテン
９              パネル
１１            ドラム
１２            ワイヤ
１３            バランススプリング
２２            チェーン開閉機構
２７            係合金具
２８            外片
３３            ワイヤ係着ピン
３４            コーナ金具
３６            突張り棒
３８            コイルバネ
３９            ストッパ
４４            上限ストッパ
４６            係着ピン
４８            ガイドシリンダ
４９            圧縮バネ
５１            ノッチ
５２            ストッパ
【図１】
2006312826.tif 000003
【図２】
2006312826.tif 000004
【図３】
2006312826.tif 000005
【図４】
2006312826.tif 000006
【図５】
2006312826.tif 000007
【図６】
2006312826.tif 000008
【図７】
2006312826.tif 000009
【図８】
2006312826.tif 000010
【図９】
2006312826.tif 000011
【図１０】
2006312826.tif 000012